(57)【要約】      （修正有）【課題】ボール等の取り出し易い、球技審判用ボール袋を提供する。【解決手段】扁平状の上縁開口の袋本体１０と、その袋本体の内側上縁のベルトループ２と、前記袋本体の内側上縁の開口を被うカバー片３とからなる球技審判用ボール袋Ａである。ベルトループ２でもってズボンのベルトにこのボール袋Ａを取付ける。この状態において、晴天時等の雨が降っていない状態では、ベルトループ２をその挿通孔４に通さずに袋本体１０に対してカバー片３よりも袋本体１０側（身体の反対側）に位置させて使用する。この使用状態は、袋本体１０の上縁開口は開放されているため、ボール等の取り出しが円滑である。一方、雨天であれば、図、ベルトループ２をその挿通孔４に通してカバー片３を袋本体１０の開口に被せれば、袋本体１０内への雨の侵入を防ぐことができる。【選択図】図２
0003185868.tif 000002
【実用新案登録請求の範囲】
【請求項１】
扁平状の上縁開口の袋本体（１０）と、その袋本体（１０）の内側上縁のベルトループ（２）と、前記袋本体（１０）の内側上縁の前記開口を被うカバー片（３）とからなり、前記カバー片（３）にベルトループ（２）の挿通孔（４）を形成したことを特徴とする球技審判用ボール袋。
【請求項２】
上記カバー片（３）を上記ベルトループ（２）より後側に設けたことを特徴とする請求項１に記載の球技審判用ボール袋。
【考案の詳細な説明】
【技術分野】
【０００１】
この考案は、野球、ソフトボール等の球技において、球審が携帯するボールを収納する袋に関する。
【背景技術】
【０００２】
野球等の球技において、この考案の一実施形態を示す図１を参照して説明すると、球審は、通常、交換用ボール（玉）、ベース上を履くハケ、ボールカウントを確認するためのインジケーター等を収納するボール袋Ａを腰に携帯している（特許文献１段落００１４第２行記載の「ハケ袋」参照）。このボール袋Ａは、扁平状の上縁開口の袋本体１０と、その袋本体１０の内側上縁のベルトループ（ベルト通し環）２とからなり、通常、そのベルトループ２に腰ベルト（ズボンベルト）ａを通して腰に携帯する。
従来の一般的なボール袋Ａは、その袋本体１０の上縁は開口のままでそのカバー（蓋）はなかった。しかし、野球等の球技は、雨天でも行なうため、前記開口から雨が袋本体１０内に入り込んでボールｂ等が濡れる場合があった。ボールｂ等が濡れると、球技に支障をきたす。このため、このボール袋Ａにおいて、袋本体１０の上縁にカバー片（蓋片）を設け、雨天時には、そのカバー片を袋本体１０の開口に被せるものもある（図１鎖線参照）。
【先行技術文献】
【特許文献】
【０００３】
【特許文献１】登録実用新案公報第３１４６８８０号
【考案の概要】
【考案が解決しようとする課題】
【０００４】
上記カバー片を設けたボール袋Ａにおいて、通常、雨天でなければ、カバー片はボールｂの出し入れの邪魔となるため、袋本体１０内に差し入れた状態とする。しかし、そのカバー片を差し入れた状態は、ハケやインジケーター等を塞ぐ（被う）こととなるため、そのハケ等の出し入れが煩わしい。また、カバー片を差し入れた状態で、ボールの出し入れをすると、そのカバー片に手やボールが触れてカバー片が浮き、そのボールの出し入れが煩わしいものとなっている。
【０００５】
この考案は、上記ハケ等の出し入れの煩わしさを解消したカバー片付ボール袋を提供することを課題とする。
【課題を解決するための手段】
【０００６】
上記課題を達成するため、この考案は、上記カバー片にベルトループの挿通孔を形成することとしたのである。
ベルトループは挿通孔に通したり、通さなかったりすることにより、カバー片を身体側又はその反対側に位置させることができる。このため、雨天でなければ、カバー片をベルトループより身体側に位置させれば、カバー片は袋本体の後側に位置してその袋本体内になく、袋本体の上縁開口は塞がれることがないため、そのカバー片に手やボールが触れてカバー片が浮くこともなく、ボール等の取り出しが円滑である。一方、雨天であれば、カバー片をベルトループより反身体（袋本体）側に位置させれば、カバー片を袋本体の開口に被せることができて、袋本体内への雨の侵入を防ぐことができる。
【０００７】
この考案の具体的な構成としては、扁平状の上縁開口の袋本体と、その袋本体の内側上縁のベルトループと、前記袋本体の内側上縁の前記開口を被うカバー片とからなり、前記カバー片にベルトループの挿通孔を形成した構成を採用する。
この構成において、上記カバー片は袋本体後側の内外面に設けることができるが、ベルトループより後側（袋本体外面）に設ければ（実施形態参照）、雨天以外の使用態様が多いカバー片を袋本体の後側に位置させた場合において、そのカバー片全体が袋本体内に無い状態となってボール等の出し入れ作用の邪魔にならない利点等を有する利便性の高いものとなる（図１、図２（ｂ）、同（ｃ）参照）。
また、上記挿通孔は、ベルトループを挿通し得れば、その形状は「楕円状」、「四角形状」等と任意であるが、上記ベルトループの横断面に対応する長方形状とすれば、ベルトループの挿通孔内の移動も規制されて、ベルトループを挿通した状態のカバー片も安定する。また、挿通孔の周りには補強材を設けて補強することが好ましい。
【考案の効果】
【０００８】
この考案は、以上のように構成したので、雨天時には、袋内のボール等の雨濡れを防止でき、晴天時等のそれ以外の場合であれば、カバー片は邪魔にならないことから、ハケ等を円滑に取り出すことができるとともに、ボールの出し入れの煩わしも解消する。
【図面の簡単な説明】
【０００９】
【図１】この考案に係るボール袋の一実施形態の携帯態様を示す概略斜視図
【図２】同実施形態の使用説明用斜視図であり、（ａ）はカバー片を被せた状態、（ｂ）、（ｃ）はカバー片を開放する状態
【図３】同実施形態の使用態様を示し、（ａ）はカバー片を被せた状態の斜視図、（ｂ）はカバー片を開放した斜視図
【図４】同実施形態を示し、（ａ）は正面図、（ｂ）は側面図、（ｃ）は裏面図
【図５】同実施形態の使用状態を示し、（ａ）は正面図、（ｂ）は側面図
【図６】同実施形態の下方からの部分斜視図
【図７】同実施形態の使用状態を示し、（ａ）は正面図、（ｂ）は側面図
【図８】他の各実施形態のカバー片の各例の正面図
【図９】他の各実施形態のベルトループとその挿通孔の各例の部分斜視図
【考案を実施するための形態】
【００１０】
以下、この考案の実施の形態を図面図１〜図７に基づいて説明する。
この実施形態のボール袋Ａも、従来と同様に、扁平状の上縁開口の袋本体１０と、その袋本体１０の内側上縁のベルトループ２と、前記袋本体１０の内側上縁の前記開口を被うカバー片３とからなって、それらが側縁でもって縫合されている。
袋本体１０は、前片１１と後片１２と、その両片１１、１２の側面を被う襠片１３と、その底面を被う網状の底片１４とからなり（図６参照）、所要数のボールｂが収納し得る大きさを有する。この実施形態では、前片１１、後片１２及び襠片１３は、表地と裏地の２枚布からなっており、各袋本体１０（前片１１、後片１２、襠片１３）の表地、カバー片３は、例えばポリエステルや合成皮革とし、同裏地、底片１４は、例えばナイロン生地、ベルトループ２は、例えばポリプロピレン生地とする。
後片１２の内側には、ハケやインジケーター等の収納ポケット１５が設けられている。そのポケット１５は、例えばナイロン生地とする。
【００１１】
ベルトループ２は、環状にしてその両端を後片１２の上縁に縫合したものであり、その長さ及び幅は、使用勝手等を考慮して適宜に設定する。この実施形態では、ベルトループ２はその下端を後片１２の表地と裏地の間に入れて縫合している。カバー片３は、そのベルトループ２より後側の袋本体１０裏面（後片１２の外面）にそのほぼ全幅長に亘って縫合されて、ベルトループ２が挿通する孔４が形成されている。その挿通孔４は、ベルトループ２の横断面に対応する（ほぼ同一大きさの）長方形状とされており、ベルトループ２をその挿通孔４に通すと、ベルトループ２の挿通孔４内の移動も規制されて、ベルトループ２を挿通した状態のカバー片３が安定する。
【００１２】
この挿通孔４にベルトループ２を挿通すると、図２（ａ）に示すように、カバー片３はベルトループ２に対して前側に位置して袋本体１０の上縁開口を塞ぐ（被う）ことが可能となる。一方、同図（ｂ）から（ｃ）に示すように、カバー片３を、その挿通孔４に通すことなくベルトループ２に対して後側に位置すれば、カバー片３は袋本体１０内にはなく、袋本体１０の上縁開口は大きく開放される。このため、袋本体１０内のボールｂのみならず、ハケやインジケーター等を収納ポケット１５から円滑に取り出すことができる。
【００１３】
後片１２の外表面、カバー片３の内側面、挿通孔４の周囲には、防水性を持った布（樹脂フィルムや同シートも含む）１６を貼着（縫合）したり、表面に防水加工を施したりして防水効果を得ている。他の片１１、１３等に防水性を付与する場合も同様とする。また、各片３、１１、１２、１３等はその腰が弱かったり、耐久性に問題があったりするのであれば、それらの生地を２重に貼り合わせた（縫合した）ものとしたり、腰の強い生地を採用したりして、腰を強くしたり、防水性を高めたりする。
【００１４】
この実施形態のボール袋Ａは以上の構成であり、図１に示すように、ベルトループ２でもってズボンのベルトａにこのボール袋Ａを携帯する（取付ける）。
この状態において、晴天時等の雨が降っていない状態では、同図及び図２（ｃ）に示すように、ベルトループ２をその挿通孔４に通さずに袋本体１０に対してカバー片３よりも袋本体１０側（身体の反対側）に位置させて（カバー片３をベルトループ２より後側にして）使用する。この使用状態は、袋本体１０の上縁開口は開放されているとともに、カバー片３が袋本体１０内に位置しないため、ボールｂ等の取り出しが円滑である。
一方、雨天であれば、図２（ａ）に示すように、ベルトループ２をその挿通孔４に通した状態とすれば、カバー片３を袋本体１０の開口に被せることができて、袋本体１０内への雨の侵入を防ぐことができる。このため、ボールｂ等が濡れることはない。
【００１５】
カバー片３は、袋本体１０の開口を塞ぎ（被い）得る形状であれば、上記実施形態に特定されないことは勿論であって、例えば、図８（ａ）〜（ｃ）に示す、その先端縁が三角状（同図（ａ））、同波状（同図（ｂ））、同両縁円弧状（同図（ｃ））の形状等が考えられる。また、ベルトループ２の幅や数も任意であって、その幅、数に応じて挿通孔４も形成することは勿論であり、例えば、図９（ａ）〜（ｃ）に示す態様等が考えられる。その図９（ｃ）において、両端の挿通孔４は、同図（ａ）に示すようにカバー片３の側縁に開口する切り欠き状とすることができる。
カバー片３は、ベルトループ２より後側に設けたが、同前側、例えば、後片１２の前面（内面）等に設けることができる。この場合、このボール袋Ａは、雨天時、ベルトループ２を挿通孔４に挿通することなく使用することとなり、晴天時等のそれ以外の場合は、ベルトループ２を挿通孔４に挿通し、カバー片３をベルトループ２より後側に位置させて使用することとなる。
なお、袋本体１０（前片１１、後片１２、襠片１３）の表地、同裏地、カバー片３、底片１４、ベルトループ２、ポケット１５の生地は、上記の物に限定されないことは勿論であり、耐久性、防水性、見栄え等を考慮して種々の生地を採用し得ることは言うまでもない。
【符号の説明】
【００１６】
２  ベルトループ
３  カバー片（カバー片）
４  ベルトループの挿通孔  
１０  袋本体
１１  袋本体の前片
１２  同後片
１３  同襠片
１４  同底片
１５  ポケット
Ａ  ボール袋
ａ  ベルト
ｂ  ボール
【図１】
0003185868.tif 000003
【図２】
0003185868.tif 000004
【図３】
0003185868.tif 000005
【図４】
0003185868.tif 000006
【図５】
0003185868.tif 000007
【図６】
0003185868.tif 000008
【図７】
0003185868.tif 000009
【図８】
0003185868.tif 000010
【図９】
0003185868.tif 000011